(57)【特許請求の範囲】
【請求項１】
基板に固定される光電変換素子と、
外部から入射される光を前記光電変換素子に集光させるレンズを含む集光部材とを備え、
前記集光部材は、
前記レンズと前記光電変換素子との間の空間を外部と遮蔽するレンズ鏡筒を含み、
前記レンズ鏡筒は、前記レンズの入射側が概円筒状に形成された部材と、前記レンズの射出側が前記光電変換素子の外形よりも広い大きさに開口された四角い囲い形状の部材とが樹脂を素材として一体成形され、当該四角い囲い形状の囲いで前記光電変換素子を覆うように配置され、
前記四角い囲い形状の囲いのうち、向かい合う縦方向の両側面が、前記光電変換素子を固定する基板との間に隙間ができるように凹形状に形成される
ことを特徴とする画像読取装置。
【請求項２】
レンズ鏡筒は、概平面状に形成されたフランジが上面側に形成され、
概平面状に形成されたフランジの面上には、レンズの光軸方向を長軸とする楕円形状の長穴がレンズの両端に相当する位置にそれぞれ設けられる
請求項１記載の画像読取装置。
【請求項３】
フランジの面に対して垂直方向の突起が当該フランジの面上の両端にそれぞれ設けられる
請求項２記載の画像読取装置。
【請求項４】
レンズ鏡筒は、レンズの入射側に形成された概円筒状の部材の一部が、当該レンズの射出側まで伸長するように形成される
請求項１から請求項３のうちのいずれか１項に記載の画像読取装置。
【請求項５】
基板に固定される光電変換素子に外部から入射される光を集光させるレンズと、
前記レンズと前記光電変換素子との間の空間を外部と遮蔽するレンズ鏡筒を備え、
前記レンズ鏡筒は、前記レンズの入射側が概円筒状に形成された部材と、前記レンズの射出側が前記光電変換素子の外形よりも広い大きさに開口された四角い囲い形状の部材とが樹脂を素材として一体成形され、当該四角い囲い形状の囲いで前記光電変換素子を覆うように配置され、
前記四角い囲い形状の囲いのうち、向かい合う縦方向の両側面が、前記光電変換素子を固定する基板との間に隙間ができるように凹形状に形成される
ことを特徴とする集光部材。
【請求項６】
レンズ鏡筒は、上面側に概平面状に形成されたフランジが形成され、
概平面状に形成されたフランジの面上には、レンズの光軸方向を長軸とする楕円形状の長穴がレンズの両端に相当する位置にそれぞれ設けられる
請求項５記載の集光部材。
【発明の詳細な説明】
【技術分野】
【０００１】
本発明は、光電変換素子を用いた画像読取装置および画像読取装置に用いられる集光部材に関する。
【背景技術】
【０００２】
可動式の光学モジュールを用いて画像の読み取りが可能な画像読取装置が各種知られている。図１１は、一般的な画像読取装置を示す斜視図である。また、図１２は、一般的な画像読取装置の内部を示す斜視図である。図１１および図１２に示すように、光学モジュール７は、画像読取装置９の筐体内に組み込まれている。
【０００３】
図１３は、一般的な光学モジュールを示す斜視図である。光学モジュール７は、画像読取装置の原稿台に載置された原稿を照射する光源２、光源２から反射された光を折り返して光電変換素子（以下、ＣＣＤ（Charge Coupled Device ）と記す。なお、図１３においてＣＣＤの図示は省略している。）に導く複数のミラー３、および、ミラー３とＣＣＤの間に設けられ、ミラー３で反射された光を集光し、ＣＣＤに結像させるレンズ１を備える。ＣＣＤは、ＣＣＤ基板４に配置され、また、レンズブラケット６は、レンズ１の位置を固定するために用いられる。また、これらの部品は、光学モジュール７の骨組みを形成するモジュールブラケット５により固定される。
【０００４】
図１４は、レンズ近傍の一般的な機構を示す斜視図である。図１５は、一般的なレンズを示す斜視図である。また、図１６は、一般的なレンズを示す側面図である。図１５および図１６に示すように、レンズ１の鏡筒は、一般に、円筒形に形成される。レンズ１およびレンズ１の鏡筒は、ＣＣＤ基板４およびレンズブラケット６によりその位置が固定され、さらに、レンズ押さえ８によって上部から固定される。
【０００５】
また、特許文献１には、結像レンズの大幅な変位を阻止する画像読取装置が記載されている。特許文献１に記載された画像読取装置では、レンズ鏡筒が、取り付け台に載置され、上下方向保持部材により上方から下方に付勢されながら取り付け台上に保持される。
【０００６】
特許文献２には、ＣＣＤの受光部が塵や埃などに汚染されることを防止する光量検出部材が記載されている。特許文献２に記載された光量検出部材では、レンズ固定用筐体が概ね円錐形状に形成され、レンズ固定用筐体、光学レンズ、筐体、および回路基板により密閉空間が形成される。
【０００７】
特許文献３には、レンズを保持する鏡筒内の温度変動を補償する自動画像濃度調整装置が記載されている。特許文献３に記載された装置では、鏡筒に貫通孔を設けることで、鏡筒内部に配置されたセンサと、鏡筒外部に配置されたサーミスタの温度を同一にする。
閉空間が形成される。
【先行技術文献】
【特許文献】
【０００８】
【特許文献１】特開平９−８３７３６号公報
【特許文献２】特開２００７−３００２５６号公報
【特許文献３】特開平６−４３５６２号公報
【発明の概要】
【発明が解決しようとする課題】
【０００９】
一般的な画像読取装置では、光源から照射された光は、原稿面で反射し、ミラーを介してレンズを通過する。その結果、レンズを通過した出力光は、ＣＣＤに集光する。ここで、レンズとＣＣＤとの間の空間に、レンズから出力される出力光以外から照射される外乱光が入光すると、画像劣化を引き起こすという問題がある。また、レンズとＣＣＤとの間の空間にゴミや異物が侵入すると、レンズから射出される光線が遮られてしまう。その結果、ＣＣＤで光電変換した画像が原稿と異なってしまうという問題もある。
【００１０】
上記問題を解決するため、レンズとＣＣＤとの間に、遮光部材やゴミ混入防止部材を追加する方法がある。遮光およびゴミ混入を防止する代表的な方法として、樹脂で形成された遮光カバーをレンズ射出側とＣＣＤとの間に配置する方法が知られている。しかし、レンズとＣＣＤとの空間を遮蔽する部材を追加した場合、以下のような問題が発生する。
【００１１】
一つは、部品点数が多くなり、組み立て性および生産性が悪くなるという問題である。他にも、樹脂成型用の金型費が発生し、かつ、そのための部品を追加する必要があるため、装置単価が高価になってしまうという問題が挙げられる。すなわち、いずれの場合も、製造に必要な作業コストが増大してしまうという問題がある。
【００１２】
特許文献２に記載された光量検出部材は、一個の部材として製品化されるため、上記問題点を解決することは可能である。また、特許文献１に記載された画像読取装置では、レンズ鏡筒ＣＣＤの間に、光路の周囲を覆うカバー部材を用いているため、遮光およびゴミ混入を防止することは可能である。
【００１３】
しかし、特許文献１および特許文献２に記載された方法を用いて密閉空間を形成した場合、上記とは別の問題が発生する。ＣＣＤは、電気部品であるため熱を発生させる。レンズとＣＣＤとの間の空間を遮蔽して密閉性を高くすると、ＣＣＤが発する熱の放熱性が弱くなるため、その空間の温度が上昇してしまうという問題がある。
【００１４】
画像読取装置の製造コストを低減させ、かつ、通気性を良くするために、樹脂を用いるのではなく、通気性の高い安価な口の字型のスポンジを用いて遮光カバーを形成することも考えられる。この場合、スポンジは、ＣＣＤ基板の表面に貼り付けられる。このようにすることで、レンズとＣＣＤとの間のスペースを埋めることができ、かつ、遮光およびゴミ混入防止を実現できとともに、熱の放射性が弱くなることを抑制できる。
【００１５】
しかし、スポンジで形成された遮光カバーをＣＣＤ基板に貼り付ける際には、粘着剤が必要になる。この粘着剤がＣＣＤの受光素子に付着すると画像劣化するおそれがあるため、この遮光カバーの取り付けには細心の注意が必要になる。そのため、このような注意を払って遮光カバーを取り付けるには、作業コストが多くなってしまうという問題がある。
【００１６】
また、特許文献３に記載された装置では、温度を外部と同一にするため鏡筒に貫通孔を設けているが、貫通孔の位置や大きさ、形状については明示されていない。貫通孔の大きさや形状によっては、かえって部品点数が多くなり、組み立て性および生産性が悪くなる可能性がある。また、貫通孔の位置によっては、遮光およびゴミ混入を防止できない場合も存在する。
【００１７】
そこで、本発明は、レンズと光電変換素子との間の空間に生じる外乱光の入射や塵などのゴミ混入を抑制しつつ、光電変換素子による発熱を適切に放射でき、製造に必要な作業コストを低減できる画像読取装置および集光部材を提供することを目的とする。
【課題を解決するための手段】
【００１８】
本発明による画像読取装置は、基板に固定される光電変換素子と、外部から入射される光を光電変換素子に集光させるレンズを含む集光部材とを備え、集光部材が、レンズと光電変換素子との間の空間を外部と遮蔽するレンズ鏡筒を含み、レンズ鏡筒が、レンズの入射側が概円筒状に形成された部材と、レンズの射出側が光電変換素子の外形よりも広い大きさに開口された四角い囲い形状の部材とが樹脂を素材として一体成形され、その四角い囲い形状の囲いで光電変換素子を覆うように配置され、四角い囲い形状の囲いのうち、向かい合う縦方向の両側面が、光電変換素子を固定する基板との間に隙間ができるように凹形状に形成されることを特徴とする。
【００１９】
本発明による集光部材は、基板に固定される光電変換素子に外部から入射される光を集光させるレンズと、レンズと光電変換素子との間の空間を外部と遮蔽するレンズ鏡筒を備え、レンズ鏡筒が、レンズの入射側が概円筒状に形成された部材と、レンズの射出側が光電変換素子の外形よりも広い大きさに開口された四角い囲い形状の部材とが樹脂を素材として一体成形され、その四角い囲い形状の囲いで光電変換素子を覆うように配置され、四角い囲い形状の囲いのうち、向かい合う縦方向の両側面が、光電変換素子を固定する基板との間に隙間ができるように凹形状に形成されることを特徴とする。
【発明の効果】
【００２０】
本発明によれば、レンズと光電変換素子との間の空間に生じる外乱光の入射や塵などのゴミ混入を抑制しつつ、光電変換素子による発熱を適切に放射でき、製造に必要な作業コストを低減できる。
【図面の簡単な説明】
【００２１】
【図１】本発明による画像読取装置に設けられる光学モジュールの一例を示す斜視図である。
【図２】本発明による画像読取装置に設けられる光学モジュールの一例を示す斜視図である。
【図３】集光部材の例を示す上面図である。
【図４】図３における集光部材の断面Ａ−Ａ’の例を示す断面図である。
【図５】集光部材の例を示す斜視図である。
【図６】集光部材の例を示す斜視図である。
【図７】集光部材の例を示す上面図である。
【図８】集光部材の例を示す側面図である。
【図９】集光部材の例を示す側面図である。
【図１０】本発明による画像読取装置の概要を示す説明図である。
【図１１】一般的な画像読取装置を示す斜視図である。
【図１２】一般的な画像読取装置の内部を示す斜視図である。
【図１３】一般的な光学モジュールを示す斜視図である。
【図１４】レンズ近傍の一般的な機構を示す斜視図である。
【図１５】一般的なレンズを示す斜視図である。
【図１６】一般的なレンズを示す側面図である。
【発明を実施するための形態】
【００２２】
以下、本発明の実施形態を図面を参照して説明する。
【００２３】
図１および図２は、本発明による画像読取装置に設けられる光学モジュールの一例を示す斜視図である。画像読取装置は、例えば、複合機として実現されていてもよい。
【００２４】
本発明による画像読取装置には、図１および図２に例示する光学モジュール７が設けられる。光学モジュール７は、画像読取装置の筐体内に配置される可動式のモジュールである。
【００２５】
光学モジュール７は、複数のミラー３と、ＣＣＤ４ａ（図１および図２において図示せず）と、ＣＣＤ基板４と、モジュールブラケット５と、レンズ１を有する集光部材１０とを含む。
【００２６】
ミラー３は、原稿台に載置された原稿を照射する光源からの光が原稿によって反射されると、その光を複数回折り返してＣＣＤ４ａに導く。モジュールブラケット５は、例えば、板金にて形成され、光学モジュール７に含まれるミラー３、集光部材１０およびＣＣＤ４ａなどの部材を配置するために用いられる。
【００２７】
集光部材１０は、ミラー３とＣＣＤ４ａの間に設けられ、レンズ１がミラー３で反射された光を集光し、ＣＣＤ４ａに結像させる。ＣＣＤ４ａは、ＣＣＤ基板４のレンズ１側に固定され、反射光を電気変換する。
【００２８】
図３は、集光部材１０の例を示す上面図であり、図４は、図３における集光部材の断面Ａ−Ａ’の例を示す断面図である。集光部材１０は、レンズ１を覆うレンズ鏡筒１１を有する。レンズ鏡筒１１は、レンズ１とＣＣＤ４ａとの間の空間を外部と遮蔽するために用いられる。本実施形態の集光部材１０には、レンズ１として複合レンズが用いられ、図４に例示する２か所の弧ｋ１は、複合レンズの一番外側の位置を示している。
【００２９】
レンズ鏡筒１１は、レンズ１の入射側がレンズ１を被覆する大きさの概円筒状に形成される。また、レンズ鏡筒１１は、レンズ１の射出側がＣＣＤ４ａの外形よりも広い大きさに開口された四角い囲い形状に形成される。また、レンズ鏡筒１１の概円筒状の部材と、四角い囲い形状の部材とは、樹脂を素材として一体成形される。
【００３０】
一体成形する樹脂として、例えば、ガラス入りポリカーボネイト（ＰＣ−ＧＦ）３０％などが用いられる。ただし、樹脂として用いされる素材は、ＰＣ−ＧＦ３０％に限定されない。他にも、ＰＣや、ＰＣ−ＡＢＳなどの樹脂材や、アルミニウムの切削材などを一体成形する樹脂として用いてもよい。
【００３１】
四角い囲い形状とは、直方体の向かい合う一対の面を開口させた形状である。また、以下の説明で、四角い囲い形状の囲いとは、上記直方体のうち開口していない面のことを意味する。四角い囲い形状の開口部は、レンズ１の入射側に形成される概円筒の側面より大きく形成されていてもよい。
【００３２】
なお、レンズ鏡筒１１は、レンズ１の入射側に形成された概円筒状の部材の一部を、レンズ１の射出側へ伸長させてもよい。すなわち、レンズ鏡筒１１は、レンズ１の入射側からレンズ１の射出側の一部にかけてレンズ１を被覆する大きさの概円筒状に形成されていてもよく、また、レンズ１の射出側とＣＣＤ基板４との間が四角い囲い形状に形成されていてもよい。
【００３３】
また、レンズ１の射出側のレンズ鏡筒１１は、ＣＣＤ４ａの面まで達するように形成される。具体的には、レンズ鏡筒１１は、レンズ１の射出側では、ＣＣＤ４ａの外形よりも大きい四角い囲い形状の囲いでＣＣＤ４ａを覆うように配置される。なお、レンズ鏡筒１１は、後述されるピント調整のため、ＣＣＤ基板４と接しないように配置される。
【００３４】
すなわち、レンズ鏡筒１１は、入射側を概円筒に、また、射出側を概直方体の形状に、それぞれ樹脂で一体成型することで形成されたものである。そして、レンズ１からＣＣＤ４ａまでの空間を遮蔽するため、レンズ鏡筒１１をレンズ１の射出側方向に伸ばしている。また、ＣＣＤ４ａを覆うように、レンズ鏡筒１１は、ＣＣＤ４ａの外形より大きな四角い囲い状の形状に形成される。
【００３５】
このようなレンズ鏡筒１１でＣＣＤ４ａを覆うことで、レンズ１とＣＣＤ４の空間を遮蔽できるため、遮光カバーなどを設けることなく、ゴミの混入および外乱光の入光を防止できる。さらに、ＣＣＤ４ａを覆うレンズ鏡筒１１は、一体形成された部材であるため、部材の取り付けに要するコストを低減できる。すなわち、本実施形態のレンズ鏡筒１１を用いることで、上述する遮光カバーやスポンジなどの追加部材を必要とせず、また、組立性が格段に向上し、かつ組立ミスも防止できるという効果が得られる。
【００３６】
図５および図６は、集光部材１０の例を示す斜視図である。また、図７は、集光部材１０の例を示す上面図であり、図８は、集光部材１０の例を示す側面図である。本実施形態で用いられる集光部材１０では、ピント調整の為に一般的に用いられるレンズブラケットを削除している。一方、集光部材１０におけるレンズ鏡筒１１には、モジュールブラケット５に集光部材１０を直接組み付けるための概平面状に形成されたフランジ１ｄが、光学モジュール７の上面側に設けられる。
【００３７】
また、フランジ１ｄには、概平面状に形成されたフランジ１ｄの面上に、レンズ１の両端（具体的には、光軸方向に対して垂直横方向におけるレンズ１の両端）に相当する位置に、ねじ止めに用いられる楕円形状の長穴１ｃが設けられる。楕円形状の長穴１ｃは、レンズの光軸方向が長軸になるように形成される。この長穴１ｃを設けることで、レンズ１とＣＣＤ４ａとの遠近を調整できる。すなわち、この長穴１ｃを用いることで、レンズ１のピント調整ができるようになる。
【００３８】
フランジ１ｄの上面側（すなわち、光学モジュール７の上面に相当する面）には、フランジ１ｄの面と垂直方向に突起１ａが、フランジ１ｄの面上の両端に設けられる。具体的には、突起１ａは、フランジ１ｄの面と並行で、かつ、レンズ１の光軸方向に垂直な方向におけるフランジ１ｄの両端にそれぞれ設けられる。突起１ａは、光学モジュール７の組立作業者が摘むことができる大きさおよび形状に形成される。
【００３９】
この突起１ａを用いることで、光学モジュール７の組立作業者が、レンズ１のピント調整を容易にできるようになる。突起１ａは、組立作業者が作業をする際に用いられることから２箇所に設けられ、突起１ａの形状は、幅が８ｍｍ以上、高さが５ｍｍ以上であることが好ましく、幅が１０ｍｍ以上、高さが５ｍｍ以上であることがより好ましい。
【００４０】
例えば、画像読取装置では、原稿とレンズ１とＣＣＤ４ａとの焦点位置をあわせる必要がある。焦点位置は、部品精度では誤差が大きく、その位置を合わせるのが困難である。そのため、一般的に、製品出荷前の組立時にピント調整が行われる。ピントの調整は、レンズ１を受光素子面に対して、並行に遠近させることにより行われる。したがって、ピントを調整するには、レンズ１をレンズブラケット６に固定し、組立作業者が手やジグを用いてレンズブラケット６を掴み、調整する機構が必要になる。すなわち、レンズ１を固定するレンズブラケット６（場合によっては、図１４に示すレンズ押さえ８）が、追加部材として、光学モジュール７に必要になるため、部材を製造する費用や、組み立てに要する時間がかかるという問題があった。
【００４１】
しかし、本実施形態では、レンズ鏡筒１１を一体成型する際に、この長穴１ｃおよび突起１ａを形成できるため、部材を製造する費用や、組み立てに要する時間を削減できる。
【００４２】
なお、レンズ鏡筒１１を用いてレンズ１とＣＣＤ４ａの間の空間を遮蔽して外乱光およびゴミの侵入を防止するため、レンズ１の射出側のレンズ鏡筒１１は、ＣＣＤ４ａ面にほぼ達する長さにまで伸ばして形成される。また、本実施形態で用いられるレンズ１には、光学モジュール７のピント調整の際にＣＣＤ基板４に接触しない幅のレンズが用いられる。
【００４３】
また、四角い囲い形状に形成されたレンズ鏡筒１１の縦方向の壁面は、凹形状１ｂに形成される。凹形状１ｂは、ＣＣＤ４ａの高さ分の凹みで形成されていることが好ましい。
【００４４】
例えば、図６に示すように、レンズ鏡筒１１の四角い囲い形状は、光学モジュール７と平行な方向（すなわち、横方向）が長く、光学モジュール７と垂直な方向（すなわち、縦方向）が短く形成される。この場合、四角い囲い形状に形成されたレンズ鏡筒１１の側面のうち、向かい合う両短辺側の面（すなわち、縦方向の両側面）が、ＣＣＤ基板４との間に隙間ができるように凹形状に形成される。
【００４５】
上述するように、ＣＣＤ４ａは電気部品のため、長時間駆動を続けると、熱を発生させる。遮光およびゴミ混入防止のためにレンズ１とＣＣＤ４ａとの間を密閉した場合、熱がこもってしまうが、レンズ鏡筒１１の一部を概凹形状に形成することで、その部分から、放熱することが可能になる。
【００４６】
また、一般に、外乱光は装置の上下方向から入り込み、混入するゴミは、重力により上から下へと落ちていく。本実施形態では、集光部材１０を光学モジュール７に組み込んだ場合において集光部材１０の上下方向に位置する辺には凹形状を採用せず、横方向に位置する辺に凹形状を採用している。すなわち、集光部材１０は、外乱光および混入するゴミの影響を受けにくい位置に凹形状が形成される。そのため、外乱光や混入するゴミによる影響を抑制でき、かつ、レンズ１とＣＣＤ４ａとの間の熱を放出することが可能になる。
【００４７】
以上のように、本実施形態によれば、画像読取装置が、ＣＣＤ基板４に固定されるＣＣＤ４ａと、外部から入射される光をＣＣＤ４ａに集光させるレンズ１を含む集光部材１０とを備えている。集光部材１０は、レンズ１とＣＣＤ４ａとの間の空間を外部と遮蔽するレンズ鏡筒１１を含む。レンズ鏡筒１１は、レンズ１の入射側が概円筒状に形成された部材と、レンズ１の射出側がＣＣＤ４ａの外形よりも広い大きさに開口された四角い囲い形状の部材とが樹脂を素材として一体成形され、その四角い囲い形状の囲いでＣＣＤ４ａを覆うように配置される。また、四角い囲い形状の囲いのうち、向かい合う縦方向の両側面が、ＣＣＤ４ａを固定するＣＣＤ基板４との間に隙間ができるように凹形状１ｂに形成される。よって、レンズとＣＣＤとの間の空間に生じる外乱光の入射や塵などのゴミ混入を抑制しつつ、ＣＣＤによる発熱を適切に放射でき、製造に必要な作業コストを低減できる
【００４８】
すなわち、本実施形態の集光部材１０を用いることで、新たな部材を追加することなく、外乱光を遮光でき、また、ゴミの混入を防止できる。また、本実施形態の集光部材１０は、直接モジュールブラケットに取り付けられるように形成されるため、レンズブラケットを削除できる。よって、必要な部品および組立工数を削減できるため、装置単価を低減させることができる。また、本実施形態の集光部材１０には、ピント調整用の凸状の突起１ａを設けているため、この突起１ａと直接摘まんでピント調整が可能になる。よって、ピントの調節に要する時間を低減させることが可能になる。
【実施例】
【００４９】
以下、具体的な実施例により本発明を説明するが、本発明の範囲は以下に説明する内容に限定されない。
【００５０】
図９は、本発明の集光部材１０（具体的には、レンズ鏡筒１１の縦方向の側面）に形成される凹形状１ｂの一例を示す説明図である。以下、凹形状に形成された部分のことを凹部と記すこともある。
【００５１】
本実施例における凹部は、レンズ鏡筒１１におけるＣＣＤ基板４側に、等脚台形の凹み形状に形成される。具体的には、凹部は、高さが２．５ｍｍ、底辺のうち長辺側が１６．１ｍｍに形成され、長辺側の内角が６０°に形成される。
【００５２】
この凹部は、外乱光および混入するゴミの影響を受けにくい位置に形成されため、外乱光や混入するゴミによる影響を抑制でき、かつ、レンズとＣＣＤとの間の熱を放出することが可能になる。
【００５３】
次に、本発明の概要を説明する。図１０は、本発明による画像読取装置の概要を示す説明図である。本発明による画像読取装置は、基板４に固定される光電変換素子４ａと、外部から入射される光を光電変換素子４ａに集光させるレンズ１を含む集光部材１０とを備えている。集光部材１０は、レンズ１と光電変換素子４ａとの間の空間を外部と遮蔽するレンズ鏡筒１１を含む。
【００５４】
レンズ鏡筒１１は、レンズ１の入射側が概円筒状に形成された部材１１ａと、レンズ１の射出側が光電変換素子４ａの外形よりも広い大きさに開口された四角い囲い形状の部材１１ｂとが樹脂を素材として一体成形され、その四角い囲い形状の囲いで光電変換素子４ａを覆うように配置される。
【００５５】
四角い囲い形状の囲いのうち、向かい合う縦方向の両側面が、光電変換素子４ａを固定する基板との間に隙間ができるように凹形状１ｂに形成される。
【００５６】
そのような構成により、レンズとＣＣＤとの間の空間に生じる外乱光の入射や塵などのゴミ混入を抑制しつつ、ＣＣＤによる発熱を適切に放射でき、製造に必要な作業コストを低減できる。
【００５７】
また、レンズ鏡筒１１は、レンズ１の入射側に形成された概円筒状の部材１１ａの一部が、レンズ１の射出側まで伸長するように形成されていてもよい。
【００５８】
また、レンズ鏡筒１１は、上面側に概平面状に形成されたフランジ（例えば、フランジ１ｄ）が形成されていてもよい。概平面状に形成されたフランジの面上には、レンズの光軸方向を長軸とする楕円形状の長穴（例えば、長穴１ｃ）がレンズ１の両端に相当する位置にそれぞれ設けられていてもよい。
【００５９】
このような長穴を設けることで、レンズ１のピント調整が可能になる。
【００６０】
また、フランジの面と垂直方向の突起（例えば、突起ａ）がそのフランジの面上の両端にそれぞれ設けられていてもよい。
【００６１】
このような突起を設けることで、光学モジュールの組立作業者が、レンズ１のピント調整を容易にできるようになる。
【産業上の利用可能性】
【００６２】
本発明は、光電変換素子を用いた画像読取装置に好適に適用される。
【符号の説明】
【００６３】
１  レンズ
１ａ  突起
１ｂ  凹形状
１ｃ  長穴
１ｄ  フランジ
２  光源
３  ミラー
４  ＣＣＤ基板
４ａ  ＣＣＤ
５  モジュールブラケット
６  レンズブラケット
７  光学モジュール
８  レンズ押さえ
９  画像読取装置
１０  集光部材
１１  レンズ鏡筒
【要約】
【課題】レンズと光電変換素子との間の空間に生じる外乱光の入射や塵などのゴミ混入を抑制しつつ、光電変換素子による発熱を適切に放射でき、製造に必要な作業コストを低減できる画像読取装置を提供する。
【解決手段】集光部材１０は、レンズ１と光電変換素子４ａとの間の空間を外部と遮蔽するレンズ鏡筒１１を含む。レンズ鏡筒１１は、レンズ１の入射側が概円筒状に形成された部材１１ａと、レンズ１の射出側が光電変換素子４ａの外形よりも広い大きさに開口された四角い囲い形状の部材１１ｂとが樹脂を素材として一体成形され、その四角い囲い形状の囲いで光電変換素子４ａを覆うように配置される。四角い囲い形状の囲いのうち、向かい合う縦方向の両側面が、光電変換素子４ａを固定する基板との間に隙間ができるように凹形状１ｂに形成される。
【選択図】図１０【図１】
0005398040.tif 000002
【図２】
0005398040.tif 000003
【図３】
0005398040.tif 000004
【図４】
0005398040.tif 000005
【図５】
0005398040.tif 000006
【図６】
0005398040.tif 000007
【図７】
0005398040.tif 000008
【図８】
0005398040.tif 000009
【図９】
0005398040.tif 000010
【図１０】
0005398040.tif 000011
【図１１】
0005398040.tif 000012
【図１２】
0005398040.tif 000013
【図１３】
0005398040.tif 000014
【図１４】
0005398040.tif 000015
【図１５】
0005398040.tif 000016
【図１６】
0005398040.tif 000017